(57)【要約】【課題】被締結物が狭い個所に位置するときにも、被締結物を締結することができるようにする。【解決手段】マガジン部材３１の一方端部近傍の底部に係合孔３８を設け、マガジン部材３１の先端部に締結部３１ａを設け、マガジン部材３１にピン３３を介して回動部材３２を回動可能に取り付け、回動部材３２の先端部に第２の締結部３２ａを設け、回動部材３２に板状のバネ３７の一端を固定し、バネ３７の他端をマガジン部材３１に接触させ、回動部材３２にナット３４を固定し、ナット３４にネジ３５を螺合し、ネジ３５の先端をマガジン部材３１に接触させる。【選択図】        図１
2004314259.tif 000002
【特許請求の範囲】
【請求項１】
マガジン部材に回動部材を回動可能に取り付け、上記マガジン部材の先端部に第１の締結部を設け、上記回動部材の先端部に第２の締結部を設け、上記マガジン部材に装填されたホッグリングを上記第１、第２の締結部側に押すホッグリング押し具を設けたことを特徴とするホッグリング締結工具。
【請求項２】
上記第１、第２の締結部が開く方向に力を作用させるバネ手段を設けたことを特徴とする請求項１に記載のホッグリング締結工具。
【請求項３】
上記第１、第２の締結部の開き量を調整するための開き量調整手段を設けたことを特徴とする請求項１または２に記載のホッグリング締結工具。
【発明の詳細な説明】
【０００１】
【発明の属する技術分野】
本発明はＣリング等のホッグリングを締結するために使用するホッグリング締結工具に関するものである。
【０００２】
【従来の技術】
図６は従来のホッグリング締結工具の一部を示す概略正面図、図７は図６に示したホッグリング締結工具を示す一部省略概略平面図、図８は図６に示したホッグリング締結工具を示す一部省略概略側面図である。図に示すように、マガジン部材１の一方端部近傍の底部に係合孔２が設けられ、マガジン部材１の他方端部の底部に断面Ｌ字状の支持板３が固定され、支持板３に一対の回動部材４、５がピン６を介して回動可能に取り付けられ、回動部材４、５のマガジン部材１側端部に締結部４ａ、５ａが設けられている。また、中央部がピン６に巻かれかつ端部がそれぞれ回動部材４、５のピン６よりも締結部４ａ、５ａとは反対側の内側（互いに対向する側）に係合した線細工バネ７が設けられており、線細工バネ７は締結部４ａ、５ａが開くように（締結部４ａ、５ａ間の距離が大きくなるように）力を作用させている。また、回動部材４、５のピン６よりも締結部４ａ、５ａとは反対側の裏面（支持板３側）にストッパ８、９が設けられ、図示の状態ではストッパ８、９が支持板３と接触しており、ストッパ８、９は締結部４ａ、５ａの開き量（締結部４ａ、５ａ間の距離）が所定値以上になるのを制限している。
【０００３】
図９は図６〜図８に示したホッグリング締結工具に使用するホッグリング押し具を示す図で、（ａ）は一部を示す平面図、（ｂ）は側面図、（ｃ）は一部切断正面図である。図に示すように、押し部１１に図９（ｃ）紙面左右方向に移動可能にロッド１２が取り付けられ、ロッド１２の押し部１１側の先端部にストッパ１３が固定され、ロッド１２の押し部１１より図９（ｃ）紙面右方にバネ受け１４が移動可能に取り付けられ、ロッド１２のバネ受け１４より図９（ｃ）紙面右方にバネ受け１５が固定され、ロッド１２の押し部１１側とは反対側端部に係合部１６が設けられ、ロッド１２のバネ受け１４とバネ受け１５との間にコイルバネ１７が設けられている。
【０００４】
図１０は図６〜図９に示したホッグリング締結工具に使用するホッグリング組立体を示す図で、（ａ）は平面図、（ｂ）は正面図である。図に示すように、複数のホッグリング２２が接着剤によって連結されてホッグリング組立体２１が形成されている。
【０００５】
図１１は図６〜図８に示したホッグリング締結工具に図１０に示したホッグリング組立体を装填した状態を示す図である。図に示すように、マガジン部材１にホッグリング組立体２１が装填され、押し部１１がマガジン部材１に挿入され、係合部１６が係合孔２に係合されている。この状態では、コイルバネ１７の力により押し部１１が図１１紙面下方に押されるから、押し部１１によりホッグリング組立体２１が図１１紙面下方に押された状態となっている。
【０００６】
このホッグリング締結工具においては、図１１に示すように、マガジン部材１にホッグリング組立体２１を装填し、被締結物（図示せず）を締結部４ａ、５ａの間に位置させた状態で、締結部４ａ、５ａが閉じる方向に回動部材４、５を回動させると、一番先端のホッグリング２２が締結部４ａ、５ａに挟まれて変形し、被締結物が変形したホッグリング２２によって締結される。
【０００７】
【発明が解決しようとする課題】
しかし、このようなホッグリング締結工具においては、ホッグリング組立体２１の送り方向と締結部４ａ、５ａの回動中心線とが平行であるから、被締結物が狭い個所に位置するときには、被締結物を締結することができない。また、マガジン部材１と直角に回動部材４、５が設けられており、立体的であるから、ホッグリング締結工具を投げたりしたときには、過大な力が作用しやすいので、損傷しやすい。
【０００８】
本発明は上述の課題を解決するためになされたもので、被締結物が狭い個所に位置するときにも、被締結物を締結することができ、また損傷しにくいホッグリング締結工具を提供することを目的とする。
【０００９】
【課題を解決するための手段】
この目的を達成するため、本発明においては、マガジン部材に回動部材を回動可能に取り付け、上記マガジン部材の先端部に第１の締結部を設け、上記回動部材の先端部に第２の締結部を設け、上記マガジン部材に装填されたホッグリングを上記第１、第２の締結部側に押すホッグリング押し具を設ける。
【００１０】
この場合、上記第１、第２の締結部が開く方向に力を作用させるバネ手段を設けてもよい。
【００１１】
これらの場合、上記第１、第２の締結部の開き量を調整するための開き量調整手段を設けてもよい。
【００１２】
【発明の実施の形態】
図１は本発明に係るホッグリング締結工具の一部を示す概略正面図、図２は図１に示したホッグリング締結工具を示す概略裏面図、図３は図１の拡大Ａ−Ａ断面図である。図に示すように、マガジン部材３１の一方端部近傍の底部に係合孔３８が設けられ、マガジン部材３１の他方端部すなわち先端部に第１の締結部３１ａが設けられ、マガジン部材３１の先端部に円弧部３１ｂが形成され、マガジン部材３１にピン３３を介して回動部材３２が回動可能に取り付けられ、回動部材３２の先端部に第２の締結部３２ａが設けられ、締結部３１ａと締結部３２ａとは対向している。また、回動部材３２に板状のバネ３７の一端が固定され、バネ３７の他端はマガジン部材３１に接触しており、バネ３７は締結部３１ａ、３２ａが開く方向に力を作用させるバネ手段を構成している。また、回動部材３２にナット３４が固定され、ナット３４にネジ３５が螺合し、ネジ３５は回動部材３２を貫通して、ネジ３５の先端はマガジン部材３１に接触しており、マガジン部材３１のバネ３７が接触している側とマガジン部材３１のネジ３５が接触している側とは同一側であり、またマガジン部材３１のバネ３７が接触している位置とマガジン部材３１のネジ３５が接触している位置とはピン３３を中心としてそれぞれ反対側であって、ナット３４、ネジ３５により締結部３１ａ、３２ａの開き量を調整するための開き量調整手段３６が構成されている。
【００１３】
図４は図１〜図３に示したホッグリング締結工具に使用するホッグリング押し具を示す図で、（ａ）は一部を示す平面図、（ｂ）は側面図、（ｃ）は一部切断正面図である。図に示すように、押し部４１の先端部に円弧部４１ａが形成され、円弧部４１ａの円弧の半径は円弧部３１ｂの円弧の半径と等しい。また、押し部４１に図９（ｃ）紙面左右方向に移動可能にロッド４２が取り付けられ、ロッド４２の押し部４１側の先端部にストッパ４３が固定され、ロッド４２の押し部４１より図９（ｃ）紙面右方にバネ受け４４が移動可能に取り付けられ、ロッド４２のバネ受け４４より図９（ｃ）紙面右方にバネ受け４５が固定され、ロッド４２の押し部４１側とは反対側端部に係合部４６が設けられ、ロッド４２のバネ受け４４とバネ受け４５との間にコイルバネ４７が設けられている。
【００１４】
図５は図１〜図４に示したホッグリング締結工具に図１０に示したホッグリング組立体を装填した状態を示す図である。図に示すように、マガジン部材３１にホッグリング組立体２１が装填され、押し部４１がマガジン部材３１に挿入され、係合部４６が係合孔３８に係合されている。この状態では、コイルバネ４７の力により押し部４１が図５紙面上方に押されるから、押し部４１によりホッグリング組立体２１が図５紙面上方に押された状態となっている。
【００１５】
このホッグリング締結工具においては、図５に示すように、マガジン部材３１にホッグリング組立体２１を装填し、被締結物（図示せず）を締結部３１ａ、３２ａの間に位置させた状態で、締結部３１ａ、３２ａが閉じる方向にマガジン部材３１、回動部材３２を回動させると、一番先端のホッグリング２２が締結部３１ａ、３２ａに挟まれて変形し、被締結物が変形したホッグリング２２によって締結される。
【００１６】
このようなホッグリング締結工具においては、ホッグリング組立体２１の送り方向と締結部３１ａ、３２ａの回動中心線とが直角であるから、被締結物が狭い個所に位置するときにも、被締結物を締結することができる。また、マガジン部材３１が従来のホッグリング締結工具のマガジン部材と回動部材との役割を果たしているから、平面的であるので、ホッグリング締結工具を投げたりしたときにも、過大な力が作用しにくいため、損傷しにくく、さらに構造が簡単であり、製造コストが安価である。また、バネ３７が設けられているから、通常締結部３１ａ、３２ａが開いた状態となるので、ホッグリング締結作業を容易に行なうことができる。また、開き量調整手段３６が設けられているから、マガジン部材３１に装填されたホッグリングに応じて締結部３１ａ、３２ａの開き量を調整することができる。
【００１７】
なお、上述実施の形態においては、複数のホッグリング２２が接着剤によって連結されたホッグリング組立体２１を用いたが、複数のホッグリングが接着テープにより連結されたホッグリング組立体を用いてもよい。
【００１８】
【発明の効果】
本発明に係るホッグリング締結工具においては、ホッグリングの送り方向と第１、第２の締結部の回動中心線とが直角であるから、被締結物が狭い個所に位置するときにも、被締結物を締結することができ、またマガジン部材が従来のホッグリング締結工具のマガジン部材と回動部材との役割を果たしているから、平面的であるので、損傷しにくい。
【００１９】
また、第１、第２の締結部が開く方向に力を作用させるバネ手段を設けたときには、通常第１、第２の締結部が開いた状態となるので、ホッグリング締結作業を容易に行なうことができる。
【００２０】
また、第１、第２の締結部の開き量を調整するための開き量調整手段を設けたときには、マガジン部材に装填されたホッグリングに応じて第１、第２の締結部の開き量を調整することができる。
【図面の簡単な説明】
【図１】本発明に係るホッグリング締結工具を示す概略正面図である。
【図２】図１に示したホッグリング締結工具を示す概略裏面図である。
【図３】図１の拡大Ａ−Ａ断面図である。
【図４】図１〜図３に示したホッグリング締結工具に使用するホッグリング押し具を示す図である。
【図５】図１〜図４に示したホッグリング締結工具に図１０に示したホッグリング組立体を装填した状態を示す図である。
【図６】従来のホッグリング締結工具を示す概略正面図である。
【図７】図６に示したホッグリング締結工具を示す一部省略概略平面図である。
【図８】図６に示したホッグリング締結工具を示す一部省略概略側面図である。
【図９】図１〜図３に示したホッグリング締結工具に使用するホッグリング押し具を示す図である。
【図１０】図６〜図９に示したホッグリング締結工具に使用するホッグリング組立体を示すである。
【図１１】図６〜図９に示したホッグリング締結工具に図１０に示したホッグリング組立体を装填した状態を示す図である。
【符号の説明】
３１…マガジン部材
３１ａ…第１の締結部
３２…回動部材
３２ａ…第２の締結部
３６…開き量調整手段
３７…バネ
【図１】
2004314259.tif 000003
【図２】
2004314259.tif 000004
【図３】
2004314259.tif 000005
【図４】
2004314259.tif 000006
【図５】
2004314259.tif 000007
【図６】
2004314259.tif 000008
【図７】
2004314259.tif 000009
【図８】
2004314259.tif 000010
【図９】
2004314259.tif 000011
【図１０】
2004314259.tif 000012
【図１１】
2004314259.tif 000013